(57)【要約】【課題】  標準的なデータインタフェースを備えた携帯型のデータ変換および処理装置に関する。【解決手段】  本発明のデータプロセッサは、コネクタコントローラ又は処理機能を備えた変換コントローラ、又はそれらのコントローラを一体としたもの、又はそれらのコントローラを分離型として組み合わせたものである。コネクタとデータプロセッサは、一体となってプロセッサ本体を形成しており、このプロセッサ本体には外部ユニットと電気的に接続するためのインタフェースが設けられている。本発明は、標準インタフェース及びプロセッサ、オプションの外部ユニットからなる３つのモジュールにより形成される。本発明は、データの制御と伝送を保証し、変換プロセッサや赤外線受信部、ＲＦモジュール、識別モジュール等の様な外部ユニット又はメモリは周辺機器の部品である。外部ユニットは、簡便に本体から抜き差し出来る。【効果】  メモリとＰＣとの間の通信を構築することが出来、種々のカードからデータにアクセスすることが出来る。また、大規模な工業用の生産設備を活用して生産や組み立てを行うことが出来、使用中に簡単に変更やアップグレードを行うことが出来る。
2005519358.tif 000002
【特許請求の範囲】
【請求項１】
標準的なデータインタフェースを備えた携帯型のデータ変換および処理装置において、
標準的なデータインタフェースコネクタと、データプロセッサコントローラとを有し、
前記コネクタと前記データプロセッサとが一体となって本体を形成し、
この本体に外部ユニットを電気的に接続する電気的インタフェースを設けたこと
を特徴とする標準的なデータインタフェースを備えた携帯型のデータ変換および処理装置。
【請求項２】
前記データプロセッサは、コネクタコントローラ又は変換コントローラ又はそれらを組み合わせたものとしたこと
を特徴とする請求項１に記載の標準的なデータインタフェースを備えた携帯型のデータ変換および処理装置。
【請求項３】
前記コントローラと変換コントローラは、それらのコントローラを一体としたもの、又はそれらのコントローラを分離型として組み合わせたものであること
を特徴とする請求項２に記載の標準的なデータインタフェースを備えた携帯型のデータ変換および処理装置。
【請求項４】
前記分離型の変換コントローラは、その一端にプロセッサ本体と電気的に接続するために整合のとれたインタフェースを、他端に外部ユニットと電気的に接続するために整合のとれたインタフェースを設けたこと
を特徴とする請求項３に記載の標準的なデータインタフェースを備えた携帯型のデータ変換および処理装置。
【請求項５】
前記変換コントローラは、ＣＦカードプロセッサ又はＭＭＣカードプロセッサ、ＳＤカードプロセッサ、ＳＭＣカードプロセッサ、ＩＢＭ  マイクロドライブプロセッサ、ＵＳＢプロセッサ、ＲＦプロセッサ、ＩＣ識別プロセッサ、又は前記のカードを組み合わせて構成した多機能プロセッサとしたこと
を特徴とする請求項２に記載の標準的なデータインタフェースを備えた携帯型のデータ変換および処理装置。
【請求項６】
前記外部ユニットは、外部プロセッサ又はデータメモリであること
を特徴とする請求項１に記載の標準的なデータインタフェースを備えた携帯型のデータ変換および処理装置。
【請求項７】
前記外部プロセッサは、ＣＦカードプロセッサ又はＭＭＣカードプロセッサ、ＳＤカードプロセッサ、ＳＭＣカードプロセッサ、ＩＢＭ  マイクロドライブプロセッサ、ＵＳＢプロセッサ、ＲＦプロセッサ、ＩＣ識別プロセッサ、又は前記のカードを組み合わせて構成した多機能プロセッサとしたこと
を特徴とする請求項６に記載の標準的なデータインタフェースを備えた携帯型のデータ変換および処理装置。
【請求項８】
前記データメモリは、不揮発性メモリとしたこと
を特徴とする請求項７に記載の標準的なデータインタフェースを備えた携帯型のデータ変換および処理装置。
【請求項９】
前記標準的なデータインタフェースコネクタは、ＵＳＢコネクタ又はＣＦカードコネクタ、ＭＭＣカードコネクタ、ＳＤカードコネクタ、ＳＭＣカードコネクタ、ＩＢＭ  マイクロドライブコネクタ、ＲＳ−２３２、ＣＯＭポート、ＩＥＥＥ１３９４、ＰＳ／２としたこと
を特徴とする請求項１に記載の標準的なデータインタフェースを備えた携帯型のデータ変換および処理装置。
【請求項１０】
前記標準的なデータインタフェースコネクタは、プラグ型やソケット型とすることが出来ること
を特徴とする請求項１又は請求項９にそれぞれ記載の標準的なデータインタフェースを備えた携帯型のデータ変換および処理装置。
【請求項１１】
前記外部ユニット又は前記分離型の変換コントローラは、案内溝により本体と摺動自在に接続されること
を特徴とする請求項１〜請求項８にそれぞれ記載の標準的なデータインタフェースを備えた携帯型のデータ変換および処理装置。
【請求項１２】
前記外部ユニット又は前記分離型の変換コントローラは、本体とプラグイン接続又は弾性的に接続されること
を特徴とする請求項１〜請求項８にそれぞれ記載の標準的なデータインタフェースを備えた携帯型のデータ変換および処理装置。
【請求項１３】
前記外部ユニット又は前記分離型の変換コントローラは、本体と弾性的に接続されること
を特徴とする請求項１〜請求項８にそれぞれ記載の標準的なデータインタフェースを備えた携帯型のデータ変換および処理装置。
【請求項１４】
前記外部ユニットの本体上には弾性ボタンが設けられ、この本体上の対応する箇所に歯止め部が設けられていること
を特徴とする請求項１３に記載の標準的なデータインタフェースを備えた携帯型のデータ変換および処理装置。
【請求項１５】
前記本体の裏側に分離可能な裏蓋を設け、また、前記本体と前記裏蓋の間に外部ユニットのコンテナを設け、このコンテナ内に前記外部ユニットを設置すること
を特徴とする請求項１〜請求項８にそれぞれ記載の標準的なデータインタフェースを備えた携帯型のデータ変換および処理装置。
【請求項１６】
前記裏蓋は、本体に摺動自在に接続され、又はボタンにより接続されること
を特徴とする請求項１５に記載の標準的なデータインタフェースを備えた携帯型のデータ変換および処理装置。
【請求項１７】
前記外部ユニット又は前記分離型の変換コントローラは、ブラケットに設置され、このブラケットは、案内溝により本体内に挿入すること
を特徴とする請求項１〜請求項８にそれぞれ記載の標準的なデータインタフェースを備えた携帯型のデータ変換および処理装置。
【請求項１８】
前記外部ユニット又は前記分離型の変換コントローラは、前記プロセッサ本体に設け、電気的なインタフェースは、標準的なＵＳＢインタフェースや、ＣＦカードコネクタ、ＭＭＣカードコネクタ、ＳＤカードコネクタ、ＳＭＣカードコネクタ、ＩＢＭ  マイクロドライブコネクタ、ＲＳ−２３２、ＣＯＭポート、ＩＥＥＥ１３９４、ＰＳ／２であること
を特徴とする請求項１〜請求項８にそれぞれ記載の標準的なデータインタフェースを備えた携帯型のデータ変換および処理装置。
【請求項１９】
前記本体には、読み書きの状態を制御するスイッチが設けられ、スイッチのコントロールポートは前記本体のコントローラに接続すること
を特徴とする請求項１〜請求項８にそれぞれ記載の標準的なデータインタフェースを備えた携帯型のデータ変換および処理装置。
【請求項２０】
前記本体のケース上に１以上のデータインタフェースが設けられること
を特徴とする上述の請求項にそれぞれ記載の標準的なデータインタフェースを備えた携帯型のデータ変換および処理装置。
【請求項２１】
前記データインタフェースは、様々な種類の標準的なインタフェースとすることが出来ること
を特徴とする請求項２０に記載の標準的なデータインタフェースを備えた携帯型のデータ変換および処理装置。
【請求項２２】
前記インタフェースは、ＵＳＢインタフェースや、ＣＦカードコネクタ、ＭＭＣカードコネクタ、ＳＤカードコネクタ、ＳＭＣカードコネクタ、ＩＢＭ  マイクロドライブコネクタ、ＲＳ−２３２、ＣＯＭポート、ＩＥＥＥ１３９４、ＰＳ／２であること
を特徴とする請求項２１に記載の標準的なデータインタフェースを備えた携帯型のデータ変換および処理装置。
【発明の詳細な説明】
【技術分野】
【０００１】
本発明は、標準的なデータインタフェースを備えたデータ処理装置に関し、特に、種々のデータ処理装置および記憶装置を簡便に集積可能な標準的なデータインタフェースを備えた携帯型のデータ変換および処理装置に関するもので、コンピュータの周辺装置に属する。
【背景技術】
【０００２】
従来のコンピュータの記憶装置は磁気媒体によってデータを記憶している。現在コンピュータで使用されているフレキシブルディスクやハードディスクは、共に磁気記憶装置である。
【０００３】
磁気記憶装置は簡単に大容量の記憶装置を作成することが出来る。しかしながら、寿命が短く信頼度が低い欠点が存在する。
【０００４】
現行の移動式の記憶装置であっても、例えば外付けのハードディスク、外付けのＣＤ−ＲＷ、ＺＩＰ、ＭＯ等の様に、その大部分は体積が大きいため、実際には簡単に持ち運ぶことが出来ない。これらの記憶装置は、比較的大容量とすることが出来るが、その携帯性は十分ではない。フレキシブルディスクの様な携帯型の記憶装置は、その専用のドライブの占有体積が大きいだけでなく、エネルギーの消耗が激しく、ノイズも大きく、また、動作速度が遅く、物理的に壊れやすい。
【０００５】
半導体技術の発達によって、喪失しない固体メモリの容量はますます大きくなり、その価格はますます低くなる。従って、この技術環境下で、フレキシブルディスクやハードディスクを固体記憶装置に置き換えることは、コンピュータの動作とデータの信頼性を大幅に高めることが出来る。
【０００６】
現行の固体記憶装置は、ＣＦカード、ＭＭＣカード、ＳＭＣカードの他、ＵＳＢインタフェースを備えた不揮発性の固体メモリ装置の様に数多く存在する。それらの固体記憶装置は、それぞれのインタフェースを用いて、コンピュータとのデータのやり取りを行っている。
現行の固体記憶装置は、ＣＦカード、ＭＭＣカード、ＳＭＣカードの他、ＵＳＢインタフェースを備えたさらに多くの固体記憶装置の様に数多く存在する。それらの固体記憶装置は、それぞれのインタフェースを用いて、コンピュータとのデータのやり取りを行っている。
【０００７】
各種のカードの構造がそれぞれ異なるために、コンピュータは上記の固体メモリにアクセスするための種々のインタフェースを持たなければならない。このことは、コンピュータのメインボードへ電気的に接続するための別のインタフェースを追加することとなるだけでなく、コンピュータとその周辺機器とをさらに複雑にしている。
【０００８】
現在、ＵＳＢやＩＥＥＥ３９４の様な多くの標準的なデータインタフェースが新しいスタイルのインタフェースとなっており、コンピュータにおいて広く用いられている。フラッシュメモリの様な喪失しない記憶媒体は、磁気媒体より優れた特長を有し、その媒体に基づく記憶装置は複雑なドライバを必要としない。そのために、その媒体に基づく記憶装置は、現存する携帯型の記憶装置へ次第に置き換えられている。
【０００９】
一方、集積回路カードは一以上の集積回路チップから構成されており、人々が便利に携帯可能なカードに封入されている。このカードは、一時的に又は永久的にデータを記憶する機能があり、そのデータは外部からアクセスすることが出来又はカード内で処理することが出来る。このカードはまた、代数演算や論理演算機能があり、識別し、外部情報に応答し、カード自身でデータを処理することが出来る。
【００１０】
ＩＣカードは、集積回路カードとして、半導体技術の発達と、人々の情報に対するセキュリティの要求から生み出され、プラスチック製の基板の中に埋め込まれたマイクロプロセッサや大容量のメモリやその他の集積回路を有するカードである。
【００１１】
このＩＣカードには、最も発達した半導体製造技術と情報のセキュリティ技術が用いられ、他のカードと比較して以下の４点の特長を有している。
１．記憶容量の大きさ：
数バイトから数兆バイトのＲＡＭ、ＲＯＭ、ＥＥＰＲＯＭ等の内部メモリを有し、文字や音声、図形や画像のような多くの情報をカードに記憶することが出来る。
２．高いセキュリティ：
ＩＣカードは、ハードウェアとソフトウェア両方において、そのセキュリティを実現するために、カード内の違った部分にアクセスする特性を、それぞれコントロールすることで可能としている。メモリカードは、パスワードを設定し、もし、不正にアクセスされた場合、カードは読み書き出来ないように自動的に破壊される。
３．ネットワークに対する要求の低さ：
ＩＣカードの高い信頼性やセキュリティは、コンピュータネットワークのリアルタイムのパフォーマンスや感度に対する要求を減少させる。このことは、ネットワーク品質の低い環境での応用に有利である。
【００１２】
集積回路カードの信頼性と安全性のために、ＩＣカードはますます普及し、金融製品から個人の消費製品まで全てＩＣカードの普及の痕跡が見られる。そして、ＩＣカードの使用量が年々増加する状況の下では、ＰＣとＩＣカードとの結合は避けられない情勢にある。同様の理由で、ＩＣカードの読み取り器の需要も日増しに増加している。現行のＰＣにはＩＣカードの読み取り器がないので、これらのＰＣは、情報識別手段としてのＩＣカードを使用することが出来ない。
【００１３】
一方、コンピュータ本体の通信インタフェースは限られており、また、現行の外部データ入力は方式が増えているため、往々にしてコンピュータのインタフェースが占有されることが多くなってきている。このため、いくつかの外部装置は、通信するために順番に差し込むことしか出来ないか、又はＰＣと直接接続することすら出来ない。
【発明の開示】
【発明が解決しようとする課題】
【００１４】
現在、上記技術に基づいた製品は、ＵＳＢメモリやＣＦカードリーダ、ＳＭＣカードリーダ、ＩＣカード識別器等がある。製品設計及び使用の見地からすると、共用できる機器がなく、実際の応用の変化に満足に対応できる柔軟な組み合わせもない。そのため、お互いに組み合わせることも出来ず、相対的に製品毎にその容量や機能は固定されている。使用者は、各々独立した消費電子製品を購入して使用せねばならず、それらをアップグレードする手段もない。製品製造からすると、これらの製品のための適当な共通のモジュールがないため、コストを下げることも、生産量を増やすことも簡単には出来ない。
【００１５】
さらに、ＰＣ使用のための身分認証や無線データ通信等の需要があるために、ＰＣは、インタフェースやデータ処理装置をますます統合している。しかし、これらの構成は便利ではない。
【００１６】
本発明の主な目的は、標準的なデータインタフェースを備えた携帯型のデータ変換および処理装置を提供することである。その基本的な構成は、コネクタとデータプロセッサで構成した本体であり、データ制御と伝送を保証する。併せて、周辺装置として便利に挿脱可能な外部機能ユニットとメモリを備え、メモリとＰＣとの間の通信を便利で簡単に使用可能に構築する。
【００１７】
本発明の２番目の目的は、標準的なデータインタフェースを備えた携帯型のデータ変換および処理装置を提供することであり、さらに、一つ以上の共通の通信インタフェースを含んだＰＣに対して、インタフェースの変換及び拡張機能を具備することである。
【００１８】
本発明の３番目の目的は、標準的なデータインタフェースを備えた携帯型のデータ変換および処理装置を提供することであり、そのデータプロセッサは、コネクタコントローラ又は処理機能を備えた変換コントローラ、又はそれらのコントローラを一体としたもの、又はそれらのコントローラを分離型として組み合わせたものである。この変換コントローラは、ＳＤカードプロセッサ、又はＳＭＣカードプロセッサ、ＩＢＭ  マイクロドライブプロセッサ、ＲＦプロセッサ、ＩＣ識別プロセッサ、又は上記のカードを組み合わせて構成した多機能プロセッサとすることが出来る。この変換コントローラには、種々の機能をさらに多く集積し、拡張するために、メモリが接続される。
【００１９】
本発明の４番目の目的は、標準的なデータインタフェースを備えた携帯型のデータ変換および処理装置を提供することであり、特に、標準的なインタフェースによりコンピュータに簡単に接続することが出来る種々の機能ユニットを提供することである。例えば、もし、標準的な赤外線受信部又はＲＦモジュールや識別モジュールを有しない場合、データプロセッサの本体は、それらを便利に統合することができる。
【００２０】
本発明の５番目の目的は、標準的なデータインタフェースを備えた携帯型のデータ変換および処理装置を提供することであり、特に、そのコネクタは、機能的なプロセッサやメモリ用の標準的なコネクタであるから、大規模な工業用の生産設備を使用して生産や組み立てを行うことが出来、使用中に簡単に変更やアップグレードを行うことが出来る。
【課題を解決するための手段】
【００２１】
本発明は上記の目的を以下に示す技術提案で実現できる。
標準的なデータインタフェースを備えた携帯型のデータ変換および処理装置で、標準的なデータインタフェースコネクタ（例えばＵＳＢコネクタやＣＦインタフェース等）やデータプロセッサコントローラを含む。ここで、コネクタとデータプロセッサは、一体となってプロセッサ本体を形成しており、このプロセッサ本体には外部ユニットと電気的に接続するためのインタフェースが設けられている。
【００２２】
データプロセッサは、コネクタコントローラ又は処理機能を備えた変換コントローラ、又はそれらのコントローラを一体とし、又はそれらのコントローラを分離型として組み合わせたものとすることが出来る。
【００２３】
変換コントローラは、ＣＦカードプロセッサやＭＭＣカードプロセッサ、ＳＤカードプロセッサ、ＳＭＣカードプロセッサ、ＩＢＭ  マイクロドライブプロセッサ、ＵＳＢプロセッサ、ＲＦプロセッサ、ＩＣ識別プロセッサ、又はそれらのカードを組み合わせた多機能プロセッサとすることが出来る。分離型の変換コントローラは、その一端にプロセッサ本体と電気的に接続するために整合のとれたインタフェースを、他端に外部ユニットと電気的に接続するために整合のとれたインタフェースをそれぞれ設けている。
【００２４】
外部ユニット又は分離型の変換コントローラは、上記のプロセッサ本体に設けられ、電気的なインタフェースは、標準的なＵＳＢインタフェースや、ＣＦカードコネクタ、ＭＭＣカードコネクタ、ＳＤカードコネクタ、ＳＭＣカードコネクタ、ＩＢＭ  マイクロドライブコネクタ、ＲＳ−２３２、ＣＯＭポート、ＩＥＥＥ１３９４、ＰＳ／２とすることが出来る。
【００２５】
一方、外部ユニットは、外部プロセッサや、例えば不揮発性メモリのようなデータメモリとすることが出来る。
【００２６】
外部プロセッサは、赤外線トランシーバやＲＦプロセッサ、識別プロセッサ、又はそれらを組み合わせた多機能プロセッサとすることが出来る。
【００２７】
標準的なデータインタフェースコネクタの具体的な構成としては、プラグ型やソケット型とすることが出来る。
【００２８】
具体的には、外部ユニットは、案内溝により本体と摺動自在に接続され、それらの関係は抜き取り式構造とすることが出来る。電気的インタフェースは、弾性接触接続である。当然にして、外部ユニットは、本体のケースに弾性的に接続されており、外部ユニットのケースには弾性ボタンが設けられ、本体ケースの対応する箇所に歯止め部が設けられている。外部ユニットと本体との間の対応する位置には、電気的に接続するインタフェースが設けられている。
【００２９】
一方、本体の裏側に分離可能な裏蓋を設け、また、本体に外部ユニットのコンテナを設け、このコンテナ内に外部ユニットを設置する。外部ユニットとコントローラとの電気的インタフェースは、弾性接触接続、又は、プラグイン接続である。必要であれば、裏蓋は本体に摺動自在に接続される。
【００３０】
さらに、本体には読み書きの状態を制御するスイッチが設けられている。
【発明の効果】
【００３１】
請求項１〜請求項２２に係る発明は、従来の技術に比べて、以下に示す効果を有する。
【００３２】
便利で使い易いＰＣとの通信を構築する。本発明は、３つの大きなモジュール（インタフェース、プロセッサ、及び外部のプラグインユニット）から構成されている。ここで、インタフェースとプロセッサは一体となっており、プロセッサが種々のメモリカードの変換回路を統合することで、種々のカードからデータをアクセスすることが出来、インタフェースを様々な標準的なインタフェースとすることが出来る。もし、プロセッサがＩＣカードを統合すれば、プロセッサはＩＣ識別機能を有する。もし、プロセッサがモジュールの統合を行わないならば、外部プラグインユニットを種々の変換若しくは機能モジュールとすることが出来る。もし、フラッシュメモリのようなメモリを追加すれば、外部プラグインユニットは、携帯可能なメモリとしての機能を有する。
【００３３】
プロセッサの容量と機能を任意に拡張したりアップグレードしたりすることが出来る。また、種々のフォーマットにデータを変換出来、コストを下げ、リソースを抑えることが出来る。
【００３４】
コネクタの構成を、標準モジュール設計とすることで、工業的な応用において、生産や組み立てを柔軟に行うことが出来る。
【００３５】
外部ユニットは、本発明に対しては周辺機器であり、簡単かつ便利に組み立てや分解を行うことが出来る。
【００３６】
多くの拡張された共通のインタフェースが追加された。ＰＣのインタフェースや現行のデバイスのインタフェースが全て占有され多場合、ユーザは、本発明によるその他のデバイスのインタフェースを選択して使用することが出来る。従って、本発明は、十分な通信インタフェースを有しないホストコンピュータに、他のデバイス用の通信インタフェースを追加することが出来る。
【００３７】
本発明は、標準的なデータインタフェースを採用し、コントローラは開放された標準のユニットであるので、コントローラは、赤外線受信器等の無線伝送デバイスやＩＣカードソケット等の様なＰＣと通信を要する他のユニットと接続することが出来る。
【発明を実施するための最良の形態】
【００３８】
本発明は、標準的なデータインタフェースを備えたデータ処理装置を提供するものである。このデータ処理装置は、３つの大きなモジュール（インタフェース、プロセッサ及び外部のプラグインユニット）から構成されており、インタフェースとプロセッサは一体となっている。
【００３９】
インタフェースは種々の標準的なインタフェースとすることが出来、プロセッサは種々のメモリカード変換回路を統合することが出来るので、プロセッサは様々なカードからデータをアクセス出来る。もし、プロセッサがＩＣカードを統合すれば、プロセッサはＩＣ識別機能を有する。もし、プロセッサがモジュールの統合を行わないならば、外部プラグインユニットを種々の変換若しくは機能モジュールとすることが出来る。もし、フラッシュメモリのようなメモリを追加すれば、外部プラグインユニットは、携帯可能なメモリとしての機能を有する。図９は、回路構成図を示す。
【００４０】
図１〜図１２に示すように、本発明は、コネクタ１、データプロセッサ２、コネクタ１前端の蓋体である本体３、及び外部ユニット４から成る。ここで、コネクタ１はＵＳＢコネクタであり、本体３を形成するためにデータプロセッサ２上に固定されている。データプロセッサ２は、コネクタコントローラ又は処理機能を備えた変換コントローラから成り、この変換コントローラは、ＣＦカードプロセッサやＭＭＣカードプロセッサ、ＳＤカードプロセッサ、ＳＭＣカードプロセッサ、ＩＢＭ  マイクロドライブプロセッサ、ＵＳＢプロセッサ、又はそれらのカードを組み合わせた多機能プロセッサとすることが出来る。
【００４１】
また、この変換コントローラは、ＩＣカードチップを統合できるので、本発明は、データを暗号化する機能や身分識別機能に優れている。また、この変換コントローラは、赤外線トランシーバモジュール、又はＲＦプロセッサとすることが出来るので、このコントローラを内部に有するＰＣは、赤外線送受信機能、又はＲＦ処理機能を有する。この変換コントローラはまた、これらのモジュールを統合したものとすることが出来る。このような高い集積能力は、さらに現行の様々な携帯型や移動式の消費電子製品の集積に使用することが出来る。本発明は、標準的なデータインタフェースを有する携帯型の総合的なデータ処理の特長を具体化する。
【００４２】
外部ユニット４は、物理的に独立した部品であり、本体３と結合し、併せてデータプロセッサ２と電気的に接続される。従って、随意にメモリユニットを交換できる。例えば、もし、外部ユニット４の機能や、データメモリの容量を増やしたい場合には、外部ユニット４を交換するだけでよい。
【００４３】
本発明は、標準化されたデータチャネルを有する共通のユニットとして使用される。本発明においては、標準的コネクタ１とデータプロセッサ２が使用されているので、ユーザは、任意に現行のデバイスへ標準的なコネクタを有するユニットを組み合わせることが出来、データメモリやデータフォーマットの処理や他の制御への要求を満足させることが出来る。そして、標準的なデータチャネルを有するユニットを十分に利用出来るだけでなく、種々の携帯型のメモリやプロセッサのアップグレードや容量増加の柔軟性もまた大いに増加し、これらの機能デバイスのコストは減少し、ユニットのリソースは抑えられる。
【実施例１】
【００４４】
図１〜図３に示すように、本発明の構成は、電池が分離する携帯電話の構成と同じである。本発明の本体３のケース裏側には、分離可能な裏蓋５があり、この裏蓋５は開閉自在である。具体的には、裏蓋５は、案内溝により本体３と摺動自在に接続される。当然にして、本体３に裏蓋５を留めることが出来るのと同じように、裏蓋５には、ほぞ（？）等の弾性ボタンが設けられる。この実施例では、本発明のデータプロセッサ本体３には、コネクタコントローラ又は処理機能を備えた変換コントローラが本体３に一体となるように構成されている。本体３には、外部ユニット４用のコンテナがあり、外部ユニット４はコンテナ内に納められ、裏蓋５によって覆われている。外部ユニット４とデータプロセッサ２の電気的インタフェース６は、弾性接触接続である。図１に示す電気的インタフェース６は、プラグイン接続である。外部ユニット４を交換する時は、裏蓋５を開けて外部ユニット４を取り出し、新しい外部ユニット４をコンテナ内に置き換えればよい。
【００４５】
外部ユニット４は、具体的には外部プロセッサや不揮発性メモリのようなデータメモリとすることが出来る。外部プロセッサは、ＣＦカードプロセッサやＭＭＣカードプロセッサ、ＳＤカードプロセッサ、ＳＭＣカードプロセッサ、ＭＤ（マイクロドライブ）カードプロセッサ、ＩＣ識別プロセッサ、又はそれらを組み合わせた多機能プロセッサとすることが出来る。例えば、本発明の本体３に、ＣＦカードプロセッサやＭＭＣカードプロセッサ、ＳＤカードプロセッサ、ＳＭＣカードプロセッサ、ＭＤカードプロセッサの変換モジュールがなければ、応用の多いマルチカード変換モジュールを使用して、違う書式のデータとＰＣ通信等を実現する。マルチカード変換モジュールを本体３に差し込み、次いで、本発明をＰＣに差し込めば、この機能が実現できる。
さらに、本体３には読み書き状態制御スイッチ７がある。
【００４６】
外部ユニット４と裏蓋５は一体となっているとともに、さらに、案内溝により本体３と摺動自在に接続され、又はボタンにより接続される。電気的インタフェース６は、弾性接触接続、又は、プラグイン接続とすることが出来、モジュール間の標準的なデータによる接続を実現する。また、標準化するためには、インタフェースは、ＵＳＢインタフェースやその他の標準的なインタフェースのような標準的なインタフェースを採用して標準化することが出来る。
【００４７】
コネクタ１を保護するために、その端部に蓋体１１が設けられる。また、読み書き状態制御スイッチ７も設けられている。
【実施例２】
【００４８】
図４に示すように、本発明のデータプロセッサ本体３は、コネクタコントローラ３１と処理機能を備えた変換コントローラ３２とから成り、本体３とは別々にした分離型として構成されている。この変換コントローラ３２は、マルチカード変換モジュールや、ＲＦプロセッサ、ＩＣ識別プロセッサ、又はそれらのカードを組み合わせた多機能プロセッサとすることが出来る。分離型としての変換コントローラ３２の一端は、コネクタコントローラ３１と電気的に接続するためのインタフェースとを有し、他端は外部ユニットに電気的に接続するためのインタフェースを有し、互いに一対一に接続することが出来る。このインタフェースは、また、同様に、標準的なＵＳＢインタフェース、又はＣＦカードコネクタ、ＭＭＣカードコネクタ、ＳＤカードコネクタ、ＳＭＣカードコネクタ、ＩＢＭ  マイクロドライブコネクタ、ＲＳ−２３２、ＣＯＭポート、ＩＥＥＥ１３９４、ＰＳ／２等を採用することが出来る。
【実施例３】
【００４９】
図５に示すように、この実施例では、本発明の外部ユニット４は、本体３と完全に独立しており、両者の間は弾性的に接続されている。外部ユニット４のケース上には弾性ボタン８が設けられ、対応する歯止め部（図示せず）が本体３上に設けられている。結合時には、弾性ボタンは本体３の歯止め部につながれる。外部ユニット４とデータプロセッサ２の電気的インタフェース６の対応する位置に、電気的に接続するインタフェース（図示せず）が設けられている。
【実施例４】
【００５０】
図６に示すように、本発明のデータプロセッサの本体３は、コネクタコントローラ３１と処理機能を備えた変換コントローラ３２とから成り、本体３とは別々にした分離型として構成されている。これらの接続は、実施例３と同一である。この変換コントローラ３２は、マルチカード変換モジュールや、ＲＦプロセッサ、ＩＣ識別プロセッサ、又はそれらのカードを組み合わせた多機能プロセッサとすることが出来る。分離型としての変換コントローラ３２の一端には、コネクタコントローラ３１と電気的に接続するためのインタフェースを有し、他端には外部ユニット電気的に接続するためのインタフェースを有し、互いに一対一に接続することが出来る。このインタフェースはまた、同様に、標準的なＵＳＢインタフェース等を採用することが出来る。
【実施例５】
【００５１】
図７に示すように、この実施例では、本発明の外部ユニット４は、本体３と完全に独立しており、両者の間は、プラグとコンセントとの接続と同じようにプラグイン接続されている。外部ユニット４とデータプロセッサ２の電気的インタフェース６の対応する位置に、電気的に接続するインタフェースが設けられている。
【００５２】
一方、コネクタ１は、ソケット型の構成として設計することが出来る。
【００５３】
相互に接続されたモジュール間のデータ伝送は、ＵＳＢやＩ２Ｃ等の様な標準インタフェースプロトコルを採用することが出来る。
【実施例６】
【００５４】
図８に示すように、本発明の外部ユニット４（例えばメモリ）は、ブラケット８に設置することが出来、そのブラケット８は、案内溝により本体３内に挿入することで、完成品として組み立てられる。
【実施例７】
【００５５】
図９に示すように、本発明の本体に、共通の拡張的なインタフェース２３と２４を追加する。具体的なインタフェースとしては、例えば、ＲＳ−２３２及びＣＯＭポート、ＩＥＥＥ１３９４、ＵＳＢ、ＰＳ／２、パラレルポート／ＩＥＥＥ−１２８４等のインタフェースを利用する。そして、コンピュータ自身の全ての通信インタフェースや本発明のインタフェースが占有されているか否かを問わず、ユーザは、本発明のその他の通信デバイスのインタフェースを選択して使用することが出来る。このため、本発明は、通信インタフェースが部分的に不足しているホストコンピュータに対して、その他の通信デバイスの使用により、多くの通信インタフェースを提供することが出来、また、種々の異なったプロトコルのインタフェースに変換することが出来る。
【００５６】
図１０は、本発明の回路構成図を示す。図１０に示す具体的なメモリカード変換回路の集積構成は、図１１及び図１２に示されている。それは、ＭＭＣ、ＳＤ、ＣＦ、ＭＤ、ＳＭＣのような種々のカードの読み書き機能やインタフェースの変換をサポート出来、また、フラッシュ記憶媒体ＵＦ１−ＵＦ８に直接読み書き出来、そして、コンピュータとカード内部とのデータ伝送を行うことが出来る。これらの種々のカードの動作方式は類似し、カードソケットはカードの挿入状態を検出することが出来、ピンをそのカードの挿入状態の検出に使用することが出来る。カードの挿入が検出されたとき、カード中のデータは読み取られ、データは伝送される。
【００５７】
本実施例で、図１１に示すＪ１は、インテリジェントカード、メモリスティック、セキュリティカード等のインタフェースに接続し、Ｊ２は、ＣＦカード１及びＣＦカード２等のインタフェースに接続する。フラッシュ記憶媒体ＵＦ１−ＵＦ８への読み書きは、変換プロセッサのチップＴＧＥ６６８８のＣＥ１−ＣＥ６等のリード線や、ＳＭＣコネクタによって行うことが出来る。
【００５８】
上記のカード読み取り回路は、一つ若しくはそれ以上のモジュールに集積することが出来る。即ち、全部をプロセッサ中に集積することも出来るし、本体に結合する外部ユニットとすることも出来る。
【００５９】
また、図１３〜図１４は、ＩＣカード識別回路を集積したプロセッサや、一つ以上の拡張的なインタフェース有する本体の回路の原理図を示す。ＩＣカード識別及び変換回路は、図１３のカードリーダＵ１及びＵ３に示されている。図１５は、拡張的なインタフェース、図１４は、プロセッサ及び電源等のユニットを示している。
【００６０】
このため、本発明は、同じ通信インタフェースのその他のデバイスを使用するために、ＵＳＢ−ＡやＵＳＢ−Ｂ等、一つ以上の多くのインタフェースを提供することが出来る。適合した変換回路を設置した時、インタフェースは種々の形式を使用することが出来る。さらに、ＵＳＢインタフェース３やＩＥＥＥ−１３９４インタフェース４等を本体に追加することが出来、ＰＣと通信を通用的に行う共通インタフェース２は大きく拡張することが出来る。本体上の標準的なインタフェースは、ＲＳ−２３２やＣＯＭポート、ＩＥＥＥ１３９４、ＵＳＢ、ＰＳ／２、パラレルポート／ＩＥＥＥ−１２８４等とすることが出来る。
【００６１】
上記の実施例は、本発明を説明するためのもので、本発明を制限するものではない。比較的良い実施例を参照して詳細に説明を行ったものであり、本発明の精神及びその範囲を逸脱することなく行うことが出来る種々の修正、変更、置換は、本技術分野における当業者の当然とするところである。本発明の精神及びその範囲を逸脱することなく行うことが出来る種々の修正、変更、置換は、全て本発明の権利要求の範囲に含むべきである。
【図面の簡単な説明】
【００６２】
【図１】本発明の第１の実施例を示す分解斜視図である。
【図２】本発明の第１の実施例を示すもので、図１の側面図である。
【図３】本発明の第１の実施例を示すもので、図１の正面図である。
【図４】本発明の第２の実施例を示す分解斜視図である。
【図５】本発明の第３の実施例を示す分解斜視図である。
【図６】本発明の第４の実施例を示す分解斜視図である。
【図７】本発明の第５の実施例を示す分解斜視図である。
【図８】本発明の好適な実施例を示す分解組立図である。
【図９】本発明において、本体上に多数のインタフェースを設置した構成図である。
【図１０】本発明の全体の回路を示すブロック図である。
【図１１】本発明の各種のメモリカードの変換回路を示す第１の原理図である。
【図１２】本発明の各種のメモリカードの変換回路を示す第２の原理図である。
【図１３】本発明の集積されたＩＣカードの識別回路及び拡張的なインタフェースを示す第１の原理図である。
【図１４】本発明の集積されたＩＣカードの識別回路及び拡張的なインタフェースを示す第２の原理図である。
【図１５】本発明の集積されたＩＣカードの識別回路及び拡張的なインタフェースを示す第３の原理図である。
【符号の説明】
【００６３】
１          コネクタ
２          データプロセッサ
３          本体
４          外部ユニット
５          裏蓋
６          電気的インタフェース
８          ブラケット
３１        コネクタコントローラ
３２        変換コントローラ
【図１】
2005519358.tif 000003
【図２】
2005519358.tif 000004
【図３】
2005519358.tif 000005
【図４】
2005519358.tif 000006
【図５】
2005519358.tif 000007
【図６】
2005519358.tif 000008
【図７】
2005519358.tif 000009
【図８】
2005519358.tif 000010
【図９】
2005519358.tif 000011
【図１０】
2005519358.tif 000012
【図１１】
2005519358.tif 000013
【図１２】
2005519358.tif 000014
【図１３】
2005519358.tif 000015
【図１４】
2005519358.tif 000016
【図１５】
2005519358.tif 000017
【手続補正書】
【提出日】平成16年9月8日(2004.9.8)
【手続補正１】
【補正対象書類名】特許請求の範囲
【補正対象項目名】全文
【補正方法】変更
【補正の内容】
【特許請求の範囲】
【請求項１】
標準的なデータインタフェースを備えた携帯型のデータ変換および処理装置において、
標準的なデータインタフェースコネクタと、データプロセッサコントローラとを有し、
前記コネクタと前記データプロセッサとが一体となって本体を形成し、
この本体に外部ユニットを電気的に接続する電気的インタフェースを設け、
前記データプロセッサは、コネクタコントローラ又は変換コントローラ又はそれらを組み合わせたものとし、
前記外部ユニットは、外部プロセッサ又はデータメモリであり、
前記データメモリは、不揮発性メモリとしたこと
を特徴とする標準的なデータインタフェースを備えた携帯型のデータ変換および処理装置。
【請求項２】
前記コントローラと変換コントローラを分離型として組み合わせた分離型の変換コントローラは、その一端にプロセッサ本体と電気的に接続するために整合のとれたインタフェースを、他端に外部ユニットと電気的に接続するために整合のとれたインタフェースを設けたこと
を特徴とする請求項１に記載の標準的なデータインタフェースを備えた携帯型のデータ変換および処理装置。
【請求項３】
前記変換コントローラは、ＣＦカードプロセッサ又はＭＭＣカードプロセッサ、ＳＤカードプロセッサ、ＳＭＣカードプロセッサ、ＩＢＭ  マイクロドライブプロセッサ、ＵＳＢプロセッサ、ＲＦプロセッサ、ＩＣ識別プロセッサ、又は前記のカードを組み合わせて構成した多機能プロセッサとし、
前記外部プロセッサは、ＣＦカードプロセッサ又はＭＭＣカードプロセッサ、ＳＤカードプロセッサ、ＳＭＣカードプロセッサ、ＩＢＭ  マイクロドライブプロセッサ、ＵＳＢプロセッサ、ＲＦプロセッサ、ＩＣ識別プロセッサ、又は前記のカードを組み合わせて構成した多機能プロセッサとし、
前記標準的なデータインタフェースコネクタは、ＵＳＢコネクタ又はＣＦカードコネクタ、ＭＭＣカードコネクタ、ＳＤカードコネクタ、ＳＭＣカードコネクタ、ＩＢＭ  マイクロドライブコネクタ、ＲＳ−２３２、ＣＯＭポート、ＩＥＥＥ１３９４、ＰＳ／２としたこと
を特徴とする請求項１に記載の標準的なデータインタフェースを備えた携帯型のデータ変換および処理装置。
【請求項４】
前記標準的なデータインタフェースコネクタは、プラグ型やソケット型とすることが出来ること
を特徴とする請求項１に記載の標準的なデータインタフェースを備えた携帯型のデータ変換および処理装置。
【請求項５】
前記外部ユニット又は前記分離型の変換コントローラは、案内溝により本体と摺動自在に接続され、又は本体とプラグイン接続又は弾性的に接続されること
を特徴とする請求項１に記載の標準的なデータインタフェースを備えた携帯型のデータ変換および処理装置。
【請求項６】
前記外部ユニットの本体上には弾性ボタンが設けられ、この本体上の対応する箇所に歯止め部が設けられていること
を特徴とする請求項１に記載の標準的なデータインタフェースを備えた携帯型のデータ変換および処理装置。
【請求項７】
前記本体の裏側に分離可能な裏蓋を設け、また、前記本体と前記裏蓋の間に外部ユニットのコンテナを設け、このコンテナ内に前記外部ユニットを設置すること
を特徴とする請求項１に記載の標準的なデータインタフェースを備えた携帯型のデータ変換および処理装置。
【請求項８】
前記外部ユニット又は前記分離型の変換コントローラは、ブラケットに設置され、このブラケットは、案内溝により本体内に挿入すること
を特徴とする請求項１に記載の標準的なデータインタフェースを備えた携帯型のデータ変換および処理装置。
【請求項９】
前記外部ユニット又は前記分離型の変換コントローラは、前記プロセッサ本体に設け、電気的なインタフェースは、標準的なＵＳＢインタフェースや、ＣＦカードコネクタ、ＭＭＣカードコネクタ、ＳＤカードコネクタ、ＳＭＣカードコネクタ、ＩＢＭ  マイクロドライブコネクタ、ＲＳ−２３２、ＣＯＭポート、ＩＥＥＥ１３９４、ＰＳ／２であること
を特徴とする請求項１に記載の標準的なデータインタフェースを備えた携帯型のデータ変換および処理装置。
【請求項１０】
前記本体のケース上に１以上のデータインタフェースが設けられ、
このインタフェースは、ＵＳＢインタフェースや、ＣＦカードコネクタ、ＭＭＣカードコネクタ、ＳＤカードコネクタ、ＳＭＣカードコネクタ、ＩＢＭ  マイクロドライブコネクタ、ＲＳ−２３２、ＣＯＭポート、ＩＥＥＥ１３９４、ＰＳ／２であること
を特徴とする請求項１に記載の標準的なデータインタフェースを備えた携帯型のデータ変換および処理装置。
【手続補正２】
【補正対象書類名】明細書
【補正対象項目名】０００８
【補正方法】変更
【補正の内容】
【０００８】
現在、ＵＳＢやＩＥＥＥ１３９４の様な多くの標準的なデータインタフェースが新しいスタイルのインタフェースとなっており、コンピュータにおいて広く用いられている。フラッシュメモリの様な喪失しない記憶媒体は、磁気媒体より優れた特長を有し、その媒体に基づく記憶装置は複雑なドライバを必要としない。そのために、その媒体に基づく記憶装置は、現存する携帯型の記憶装置へ次第に置き換えられている。
【手続補正３】
【補正対象書類名】明細書
【補正対象項目名】００３０
【補正方法】削除
【補正の内容】
【手続補正４】
【補正対象書類名】明細書
【補正対象項目名】００４８
【補正方法】変更
【補正の内容】
【００４８】
図４に示すように、本発明のデータプロセッサ本体３は、コネクタコントローラ２１と処理機能を備えた変換コントローラ２２とから成り、本体３とは別々にした分離型として構成されている。この変換コントローラ２２は、マルチカード変換モジュールや、ＲＦプロセッサ、ＩＣ識別プロセッサ、又はそれらのカードを組み合わせた多機能プロセッサとすることが出来る。分離型としての変換コントローラ２２の一端は、コネクタコントローラ２１と電気的に接続するためのインタフェースとを有し、他端は外部ユニットに電気的に接続するためのインタフェースを有し、互いに一対一に接続することが出来る。このインタフェースは、また、同様に、標準的なＵＳＢインタフェース、又はＣＦカードコネクタ、ＭＭＣカードコネクタ、ＳＤカードコネクタ、ＳＭＣカードコネクタ、ＩＢＭ  マイクロドライブコネクタ、ＲＳ−２３２、ＣＯＭポート、ＩＥＥＥ１３９４、ＰＳ／２等を採用することが出来る。
【手続補正５】
【補正対象書類名】明細書
【補正対象項目名】００５０
【補正方法】変更
【補正の内容】
【００５０】
図６に示すように、本発明のデータプロセッサの本体３は、コネクタコントローラ２１と処理機能を備えた変換コントローラ２２とから成り、本体３とは別々にした分離型として構成されている。これらの接続は、実施例３と同一である。この変換コントローラ２２は、マルチカード変換モジュールや、ＲＦプロセッサ、ＩＣ識別プロセッサ、又はそれらのカードを組み合わせた多機能プロセッサとすることが出来る。分離型としての変換コントローラ２２の一端には、コネクタコントローラ２１と電気的に接続するためのインタフェースを有し、他端には外部ユニットと電気的に接続するためのインタフェースを有し、互いに一対一に接続することが出来る。このインタフェースはまた、同様に、標準的なＵＳＢインタフェース等を採用することが出来る。
【国際調査報告】
2005519358.tif 000018
2005519358.tif 000019